(57)【要約】【課題】ガラス枠部材の開閉に影響されず、かつ遊技球の帯電電荷をより効果的に除去する弾球遊技機の帯電防止機構を提案するものであり、これによって帯電した遊技球の放電現象により生じる静電誘導ノイズを抑制することを目的とする。【解決手段】遊技球の入球可能な複数の入賞口を有する遊技領域が形成された遊技盤Ｍと、遊技球を遊技領域に発射する発射手段と、遊技盤Ｍに取り付けられて発射手段により発射された遊技球を前記遊技領域に誘導する遊技球誘導レール４，５と、前記遊技盤Ｍが固定される遊技盤固定枠２０とを備えた弾球遊技機１において、前記遊技盤固定枠２０に前記遊技球誘導レール４，５と通電可能な導通部材６０が設けられているとともに、前記導通部材６０は接地可能に構成されている弾球遊技機の帯電防止機構。【選択図】　　　　図８
2004000309.tif 000002
【特許請求の範囲】
【請求項１】
遊技球の入球可能な複数の入賞口を有する遊技領域が形成された遊技盤と、遊技球を前記遊技領域に発射する発射手段と、遊技盤に取り付けられて前記発射手段により発射された遊技球を前記遊技領域に誘導する遊技球誘導レールと、前記遊技盤が固定される遊技盤固定枠とを備えた弾球遊技機において、
前記遊技盤固定枠に、前記遊技球誘導レールと通電可能な導通部材が設けられているとともに、前記導通部材は接地可能に構成されていることを特徴とする弾球遊技機の帯電防止機構。
【請求項２】
前記導通部材の少なくとも一部に弾性部を備え、前記弾性部の付勢力により前記導通部材が前記遊技球誘導レールと当接している請求項１に記載の弾球遊技機の帯電防止機構。
【請求項３】
前記導通部材が弾球遊技機に配置された中継基板を介して接地可能に構成されている請求項１又は２に記載の弾球遊技機の帯電防止機構。
【請求項４】
前記導通部材が前記中継基板に一体に形成されている請求項３に記載の弾球遊技機の帯電防止機構。
【請求項５】
前記中継基板に前記導通部材とは異なる弾球遊技機関連部品が通電可能に接続されている請求項３又は４に記載の弾球遊技機の帯電防止機構。
【請求項６】
前記導通部材とは異なる弾球遊技機関連部品が前記中継基板を介して制御手段に通電可能に接続されている請求項３ないし５のいずれか１項に記載の弾球遊技機の帯電防止機構。
【請求項７】
前記導通部材は配線部材を介して前記遊技盤固定枠の裏面側で接地部材に接続されている請求項１ないし６のいずれか１項に記載の弾球遊技機の帯電防止機構。
【請求項８】
前記配線部材は前記遊技盤固定枠に貫設された配線通過部から前記遊技盤固定枠の裏面側に配設されている請求項７に記載の弾球遊技機の帯電防止機構。
【請求項９】
前記遊技球誘導レールを遊技盤に固定する誘導レール固定部材を備え、前記導通部材と前記遊技球誘導レールの当接箇所が前記誘導レール固定部材の近傍である請求項１ないし８のいずれか１項に記載の弾球遊技機の帯電防止機構。
【発明の詳細な説明】
【０００１】
【発明の属する技術分野】
この発明は、パチンコ遊技機等の弾球遊技機に関し、特には遊技球の帯電電荷を除去する弾球遊技機の帯電防止機構に関する。
【０００２】
【従来の技術】
従来の弾球遊技機、例えばパチンコ遊技機にはその前面側に遊技領域が形成された遊技盤が設けられており、遊技者の発射操作に応じて発射装置より発射された遊技球は該発射装置から略円形に立設された外側ガイドレールと内側ガイドレールに誘導されて前記遊技領域に打ち出される。しかるに、この種遊技球にあっては、パチンコ遊技機の機構盤内の多くの誘導樋や集合板を頻繁に通過し、これらとの接触摩擦により帯電していることが多い。
【０００３】
この帯電した遊技球は前記遊技領域に設けられた釘等の遊技球誘導部材と接触して放電現象により静電誘導ノイズを発生するのでこれを防止する必要がある。従来では、前記外側ガイドレールと内側ガイドレール間で構成される発射球誘導路内であって内側ガイドレールに設けられた弾性を有する薄板状金属部材からなる発射球逆流防止片（例えば後述の図３の符号８７参照）と遊技球とを接触させ、さらにパチンコ遊技機の前面側に開閉可能に取り付けられてガラス等を固定するガラス枠部材等の枠板部に設けられた凸状の金属片を前記内側ガイドレールに当接させて、このガラス枠部材の金属片を介して、あらかじめ遊技施設に設けられた接地線等の接地部材を介して接地（アース）させている。
【０００４】
しかしながら、上記のように開閉自在なガラス枠部材等の枠板部に金属片を設けて、これと内側ガイドレールとを当接させて接地させる場合にあっては、ガラス枠部材等の金属片と内側ガイドレールとの確実な接触という要請からその取付を多少きつめに行う必要があり、そのためにガラス枠部材の開閉の際の大きな抵抗となり、開閉がしづらいという問題があった。また、この種遊技機の前面側のガラス枠部材等は遊技盤の修理や保守点検等のために頻繁に開閉されるものであるので、これに取り付けられた金属片に金属疲労、摩耗、変形等や取付上の不具合が発生することがあり、このような場合には該金属片と内側ガイドレールとの接触が不完全又は不能となり、遊技球の帯電除去を効果的に行うことができなくなるという問題があった。
【０００５】
【発明が解決しようとする課題】
この発明はこのような状況に鑑み提案されたものであり、ガラス枠部材の開閉に影響されず、かつ遊技球の帯電電荷をより効果的に除去する弾球遊技機の帯電防止機構を提案するものであり、これによって帯電した遊技球の放電現象により生じる静電誘導ノイズを抑制することを目的とする。
【０００６】
【課題を解決するための手段】
すなわち、請求項１の発明は、遊技球の入球可能な複数の入賞口を有する遊技領域が形成された遊技盤と、遊技球を前記遊技領域に発射する発射手段と、遊技盤に取り付けられて前記発射手段により発射された遊技球を前記遊技領域に誘導する遊技球誘導レールと、前記遊技盤が固定される遊技盤固定枠とを備えた弾球遊技機において、前記遊技盤固定枠に、前記遊技球誘導レールと通電可能な導通部材が設けられているとともに、前記導通部材は接地可能に構成されていることを特徴とする弾球遊技機の帯電防止機構に係る。
【０００７】
また、請求項２の発明は、請求項１において、前記導通部材の少なくとも一部に弾性部を備え、前記弾性部の付勢力により前記導通部材が前記遊技球誘導レールと当接している弾球遊技機の帯電防止機構に係る。
【０００８】
請求項３の発明は、請求項１又は２において、前記導通部材が弾球遊技機に配置された中継基板を介して接地可能に構成されている弾球遊技機の帯電防止機構に係る。
【０００９】
請求項４の発明は、請求項３において、前記導通部材が前記中継基板に一体に形成されている弾球遊技機の帯電防止機構に係る。
【００１０】
請求項５の発明は、請求項３又は４において、前記中継基板に前記導通部材とは異なる弾球遊技機関連部品が通電可能に接続されている請求項３又は４に記載の弾球遊技機の帯電防止機構に係る。
【００１１】
請求項６の発明は、請求項３ないし５のいずれか１項において、前記導通部材とは異なる弾球遊技機関連部品が前記中継基板を介して制御手段に通電可能に接続されている請求項３ないし５のいずれか１項に記載の弾球遊技機の帯電防止機構に係る。
【００１２】
請求項７の発明は、請求項１ないし６のいずれか１項において、前記導通部材は配線部材を介して前記遊技盤固定枠の裏面側で接地部材に接続されている請求項１ないし６のいずれか１項に記載の弾球遊技機の帯電防止機構に係る。
【００１３】
請求項８の発明は、請求項７において、前記配線部材は前記遊技盤固定枠に貫設された配線通過部から前記遊技盤固定枠の裏面側に配設されている請求項７に記載の弾球遊技機の帯電防止機構に係る。
【００１４】
請求項９の発明は、請求項１ないし８のいずれか１項において、前記遊技球誘導レールを遊技盤に固定する誘導レール固定部材を備え、前記導通部材と前記遊技球誘導レールの当接箇所が前記誘導レール固定部材の近傍である弾球遊技機の帯電防止機構に係る。
【００１５】
【発明の実施の形態】
以下添付の図面に基づきこの発明の好適な実施形態を説明する。
図１はこの発明の一実施例に係る弾球遊技機全体の正面図、図２はガラス枠部材を開放した状態における弾球遊技機全体の斜視図、図３は同遊技機の遊技盤の正面図、図４は同遊技機の裏面側における遊技盤及び機構盤の取り付け状態を示す分解斜視図、図５は同遊技機全体の裏面図、図６は導通部材と外側ガイドレールとが当接した状態を示す図２の符号Ａの部分拡大図、図７は図２の符号ＡのＢ−Ｂ部分断面図、図８は同遊技機における中継基板と弾球遊技機関連部品との配線状態の要部を示す拡大図、図９は同遊技機の帯電防止機構を示す概略図である。
【００１６】
図１ないし図５に示す弾球遊技機（図ではパチンコ遊技機）１は、額縁形状からなる機枠１１と、機枠１１に取り付けられた遊技盤固定枠２０（以下前枠と称する。）と、前枠２０に開閉可能に設けられたガラス枠部材３０を備えている。この前枠２０の裏面側には遊技盤Ｍが着脱可能に収容されている。
【００１７】
前記遊技盤Ｍの縁には、その遊技領域６に発射装置Ｅ（この発明の発射手段に相当する。）により発射された遊技球を誘導する外側ガイドレール４及び内側ガイドレール５（いずれもこの発明の遊技球誘導レールに相当する。）が略円形に立設されており、該内側ガイドレール５によって囲まれた遊技領域６には以下に記述するような遊技球の入賞可能な複数の入賞口が設けられている。なお、前記外側ガイドレール４及び内側ガイドレール５は金属製の板状部材を湾曲させ、該ガイドレール４，５を咬止するように遊技盤Ｍに打ち込まれたピンからなる誘導レール固定部材により該遊技盤Ｍに固定されている。
【００１８】
図３に示すように、この実施例の遊技盤Ｍの遊技領域６には、その中心線上に上部から下部に向かって順に液晶表示器（ＴＦＴ−ＬＣＤモジュール）等からなる画像表示部５０を有する表示装置９、上側第１種始動入賞口１０及び普通電動役物である下側第１種始動入賞口１１、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技盤Ｍの遊技領域６には該遊技領域６を転動しつつ下方へ落下する遊技球を誘導する遊技釘７が適宜設けられている。なお、図中の符号８５は発射球誘導路、８７は発射球逆流防止片である。
【００１９】
さらに、前記弾球遊技機１の前面側には払い出された遊技球を受けるための上側球受け皿３２、該上側球受け皿３２の飽和時に遊技球を受け止めるための下側球受け皿３４、前記遊技盤Ｍに設けた左サイドランプ３５Ｌ，右サイドランプ３５Ｒと共に遊技状態を報知する枠飾りランプ３５、遊技者が貸球の払出操作を行う球貸し操作部５５、前記上側球受け皿３２に内蔵されて音声や効果音を発して遊技状態を遊技者に報知するスピーカＳ、遊技者の発射操作に応じて遊技球を遊技盤Ｍに向けて発射するための発射装置Ｅ、該発射装置Ｅの操作レバーＥ１がそれぞれ組み付けられている。
【００２０】
前記発射装置Ｅはその操作レバーＥ１と、該操作レバーＥ１の操作により駆動する発射モータと、該発射モータの駆動により間欠的に揺動して遊技球を弾発発射する打球槌とを有している。この発射装置Ｅにより発射された遊技球は、前記遊技盤Ｍに立設された外側ガイドレール４と内側ガイドレール５間で構成される発射球誘導路８５を介して遊技領域６に誘導されるようになっている。前記発射球誘導路８５により遊技領域６に誘導された遊技球は転動しつつ下方へ落下し、前記遊技領域６に設けられた入賞口に入賞するか、あるいは何れにも入賞しなければ前記アウト口１７から遊技盤Ｍの裏側へ排出される。
【００２１】
図４に示すように、弾球遊技機１が備える前枠２０の裏面側に固定される遊技盤Ｍには、該遊技盤Ｍの前面側に配設された前記表示装置９の画像表示部５０への図柄等の表示制御を行う図柄制御基板（図示せず）、同じく遊技盤Ｍの前面側である遊技領域６に配設された入賞口に入球した遊技球を集合させる集合路を有する集合板（図示せず）が設けられている。なお、前記前枠２０には、後述する該前枠２０の前面側に設けた中継基板６５と前枠２０の裏面側に設けた後述する機構盤３に配設される受電基板１０６とを接続する接地線Ｇ３（この発明の配線部材に相当する。）が配線可能な配線通過部７０が貫設されている。
【００２２】
前記集合板には前記画像表示部５０における変動及び停止表示する図柄等に対応して発生させる演出音等を制御する音声制御基板、遊技者の遊技状態を報知する枠飾りランプ３５等の表示制御を行うランプ制御基板等が配置されている。
【００２３】
また、前記弾球遊技機１が備える前枠２０の裏面側における遊技盤Ｍや図示しない集合板以外の部分には、遊技施設の弾球遊技機設置島から投入される払出用の遊技球を貯留する貯留タンク、貯留タンクから遊技球を払出装置へ流下させる複数の誘導樋が形成された機構盤３が設けられている。さらに、前記機構盤３には遊技球の払出条件成立時の遊技球の払い出しを制御する払出制御基板、遊技施設に設けられた外部電源から供給される交流電力を受電する受電基板１０６、受電基板１０６から供給された交流電力を受電しこれを所定の電圧である直流電力に変換する電源基板、前記各種の制御基板を制御する主制御基板等が配設されている。
【００２４】
図５中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３は電源プラグ、１６１は図柄制御基板、Ｇ７は接地線である。
【００２５】
前述したように、弾球遊技機１が備える発射レールの発射位置に供給される遊技球は、これと前記機構盤３に形成された複数の誘導樋等の壁面との摩擦により帯電しており、この帯電した遊技球が前記発射装置Ｅにより外側ガイドレール４に沿って遊技領域６に打ち込まれ該遊技領域６に設けられた遊技釘７等に遊技球が接触すると、帯電した遊技球と遊技釘７等との間で放電が起こり、これに起因して静電誘導ノイズが発生する。そこで、この弾球遊技機１においては、前記外側ガイドレール４に沿って遊技領域６に打ち込まれる遊技球の帯電電荷を接地して除去するため、請求項１の発明として規定するように、前記弾球遊技機１の前枠２０に外側ガイドレール４と通電可能な導通部材６０を設けているとともに、該導通部材６０は後述する接地部材である接地線Ｇを介して接地可能に構成されている。以下に、外側ガイドレール４と導通部材６０の配置について図６及び図７を用いて説明する。
【００２６】
図６に示すように、前記導通部材６０は弾球遊技機１の前面側であってその前枠２０の左上方で外側ガイドレール４に当接するように設けられている。この導通部材６０は鉄等の金属製部材を焼なまし処理して該金属製部材の硬さを低下させたものからなり、請求項２の発明として規定するように、該金属製部材からなる導通部材６０は少なくとも一部に弾性部６１を備えている。そして、図７に示すように、前記導通部材６０を略コの字形状に折り曲げてその弾性部６１を前枠２０と外側ガイドレール４の間に挿入するように設けている。このように配置された導通部材６０はその弾性部６１により外側ガイドレール４を常時Ｘ方向へ付勢する力によって該導通部材６０が外側ガイドレール４に当接する。この導通部材６０が外側ガイドレール４と当接する箇所については、該導通部材６０が備える弾性部６１の付勢力により外側ガイドレール４が変形することを防止する箇所であることが必要がある。そこで、請求項９の発明として規定するように、前記導通部材６０と外側ガイドレール４の当接箇所を該ガイドレール４を咬止するように遊技盤Ｍに固定するように打ち込まれて前記ガイドレール４を遊技盤Ｍに強固に固定するピン６２（この発明の誘導レール固定部材に相当する。）の近傍としている。
【００２７】
また、導通部材６０の一端は該導通部材６０と同様に前記前枠２０の左上方にねじ等で固定して該前枠２０に配置された金属板からなる中継基板６５に接続されている。さらに、前記中継基板６５は、後述するように、受電基板１０６に接地線Ｇ３により接続されており、該受電基板１０６はこれに接続される接地線Ｇにより接地されている。そこで、請求項３の発明として規定するように、前記導通部材６０が中継基板６５を介して前記受電基板１０６に接続される接地線Ｇにより接地可能に構成されている。そして、この導通部材６０の一端と中継基板６５の接続は溶接等をすることにより、請求項４の発明として規定するように、該導通部材６０が中継基板６５に一体に形成されている。
【００２８】
前記中継基板６５には、図８に示すように、該中継基板６５に一体に形成された導通部材６０とは別に前記中継基板６５とこの弾球遊技機１の弾球遊技機関連部品とを接地線Ｇ１，Ｇ２により接続可能とする複数の接続部であるコネクタ（この実施例では２つのコネクタＣ１，Ｃ２）が形成されている。このため、前記接地線Ｇ１，Ｇ２により、請求項５の発明として規定するように、中継基板６５に前記導通部材６０とは異なる弾球遊技機関連部品が通電可能に接続されている。なお、この実施例における前記中継基板６５に通電可能に接続される弾球遊技機関連部品は、図９に示すように、前記機枠１１及び前枠２０ならびにガラス枠部材３０の閉状態を解除操作する鍵部の枠部分１２Ａ、電源基板のシールド板１１４Ａとしている。ただし、中継基板６５に接続される弾球遊技機関連部品は前記鍵部の枠部分１２Ａ等に限定されず、これら以外の適宜の弾球遊技機関連部品を前記中継基板６５に接続するようにしてもよい。
【００２９】
さらに、図８及び図９に示すように、前記外側ガイドレール４，鍵部の枠部分１２Ａ及び電源基板のシールド板１１４Ａがそれぞれ導通部材６０，接地線Ｇ１及びＧ２により接続された中継基板６５は、該中継基板６５に形成されたコネクタＣ３と受電基板１０６（この発明の制御手段に相当する。）に形成されたコネクタ（図示せず）とを接続する接地線Ｇ３により前記受電基板１０６と接続されている。なお、前記中継基板６５に接続された接地線Ｇ３は、請求項８の発明として規定するように、この弾球遊技機１の前枠２０に貫設された配線通過部７０を通して該前枠２０の裏面側に設けた機構盤３に固定される受電基板１０６に向けて配設されている。このような構成により、請求項６の発明として規定するように、前記導通部材６０とは異なる前記枠部分１２Ａ，電源基板のシールド板１１４Ａ（いずれも弾球遊技機構成部品）が前記中継基板６５を介して受電基板１０６（制御手段）に通電可能に接続されている。なお、図中の符号Ｈは前記枠飾りランプ３５とランプ制御基板とを接続するハーネスである。
【００３０】
図９に示すこの弾球遊技機１の帯電防止機構２００により、前記外側ガイドレール４に沿って遊技領域６に打ち込まれる遊技球の帯電電荷、鍵部の枠部分１２Ａから侵入する人為的なノイズ、前記機構盤３に形成された複数の誘導樋等を通過する帯電した遊技球の放電現象により発生する静電誘導ノイズに起因して電源基板のシールド板１１４Ａに発生した電荷が、前記外側ガイドレール４等と中継基板６５とをそれぞれ接続する導通部材６０，接地線Ｇ１，Ｇ２により該中継基板６５に集約される。さらに、この中継基板６５に集約された電荷は該中継基板６５と受電基板１０６とを前記接地線Ｇ１，Ｇ２と同様な方法で接続する接地線Ｇ３により該受電基板１０６に集約される。
【００３１】
この受電基板１０６は弾球遊技機１の前枠２０の裏面側に設けた機構盤３に配設されており、該受電基板１０６を前記弾球遊技機１が設置される遊技施設の弾球遊技機設置島にあらかじめ設けた接地線接続箇所とつながる接地線Ｇ（この発明の接地部材に相当する。）と接続することにより受電基板１０６を前記前枠２０の裏面側で接地している。そこで、図示した前記帯電防止機構２００から理解できるように、前記導通部材６０は、請求項７の発明として規定するように、該導通部材６０が接続された中継基板６５と受電基板１０６とを接続する接地線Ｇ３（配線部材）を介して前記前枠２０の裏面側で接地線Ｇに接続されて接地している。このように構成した帯電防止機構２００により、前記受電基板１０６に集約された電荷を接地線Ｇによって接地して除去することができる。
【００３２】
この帯電防止機構２００を構成する受電基板１０６には、前記接地線Ｇ３と同様な方法で接続される接地線Ｇ４により前記ＦＧ中継基板１１３が接続されている。さらに、このＦＧ中継基板１１３には前記タンクレール１０２の板金１０２Ａ，払出制御基板１１８がそれぞれ前記接地線Ｇ４と同様な接続方法による接地線Ｇ５，Ｇ６により接続されており、加えて該ＦＧ中継基板１１３には前記払出制御基板１１８のシールド板その他の弾球遊技機関連部品が接地線によりそれぞれ接続される。このように構成した前記帯電防止機構２００により、前記弾球遊技機設置島からタンクレール１０２に投入される払出用の遊技球同士の摩擦により発生する遊技球の帯電電荷、払出制御基板１１８に接続されたプリペードカードユニットから侵入する人為的なノイズ等による電荷、前記複数の誘導樋等を通過する帯電した遊技球の放電現象により発生する静電誘導ノイズに起因して払出制御基板１１８のシールド板に発生した電荷その他の電荷等が、前記タンクレール１０２の板金１０２Ａ等と前記ＦＧ中継記基板１１３とをそれぞれ接続する接地線Ｇ５等により該ＦＧ中継基板１１３に集約される。
【００３３】
さらに、前記ＦＧ中継基板１１３に集約された電荷は該ＦＧ中継基板１１３と前記受電基板１０６とを接続する接地線Ｇ４により該受電基板１０６に集約され、この受電基板１０６に接続された前記接地線Ｇにより受電基板１０６に集約された電荷を接地して除去することができる。
【００３４】
本発明は上述した実施例に限定されるものではなく、発明の趣旨を逸脱しない範囲内において構成の一部を適宜に変更して実施することができる。上記実施例では、略コの字形状に折り曲げた導通部材６０の弾性部６１が外側ガイドレール４を付勢する力により該導通部材６０が外側ガイドレール４に当接するようにしているが、これに限定されず、例えば外側ガイドレール４に沿って遊技領域６に打ち込まれる遊技球の帯電電荷による電流が通電可能なばね部材を用いることにより、該ばね部材の付勢力によって外側ガイドレール４にばね部材が当接するような構成等としてもよい。
【００３５】
また、上記実施例では、前記導通部材６０が接続された中継基板６５が単独の金属板により構成されているが、これに限定されず、例えば前記前枠２０の前面側に枠飾りランプ３５その他の弾球遊技機関連部品の制御を行う制御基板を設けた場合には、該制御基板に前記中継基板の機能を有する部分を一体に設けるような構成等とし、この制御基板を介して導通部材６０が遊技施設に設けた接地線Ｇに接続されるようにしてもよい。
【００３６】
【発明の効果】
以上図示し説明したように、請求項１の発明に係る弾球遊技機の帯電防止機構によれば、遊技盤が固定される遊技盤固定枠に該遊技盤に取り付けられた遊技球誘導レールと通電可能な導通部材が設けられているとともに、前記導通部材は接地可能に構成されている。したがって、ガラス枠部材等の開閉に影響されず、かつ前記遊技球誘導レールと通電可能に設けた導通部材により遊技球の帯電電荷をより効果的に除去することができる。これにより、前記帯電した遊技球の放電現象により生じる静電誘導ノイズを抑制することができる。
【００３７】
また、請求項２の発明によれば、前記導通部材の少なくとも一部に弾性部を備え、前記弾性部の付勢力により前記導通部材が前記遊技球誘導レールと当接しており、該導通部材が備える弾性部の付勢力によって導通部材と遊技球誘導レールの接触を良好にすることができる。
【００３８】
さらに、請求項３の発明によれば、前記導通部材が弾球遊技機に配置された中継基板を介して接地可能に構成されており、該導通部材の一端を前記中継基板に接続すれば、導通部材の他端を遊技球誘導レールと当接するように設ける導通部材の取り付け作業を容易にして該導通部材を接地可能なものとすることができる。
【００３９】
加えて、請求項４の発明によれば、前記導通部材が前記中継基板に一体に形成されており、導通部材と中継基板をそれぞれ単独で設ける場合に比べて該導通部材と中継基板を所定の位置に取り付ける作業が容易となる。
【００４０】
さらに加えて、請求項５の発明によれば、前記中継基板に前記導通部材とは異なる弾球遊技機関連部品が通電可能に接続されており、特に該導通部材とは異なるものであって弾球遊技機の前面側に設けた弾球遊技機関連部品を接地するための接地線を該遊技機前面側に設けた中継基板に容易に接続することができる。
【００４１】
また、請求項６の発明によれば、前記導通部材とは異なる弾球遊技機関連部品が前記中継基板を介して制御手段に通電可能に接続されており、弾球遊技機関連部品に帯電した電荷等についても、該弾球遊技機関連部品が中継基板を介して接続された制御手段（受電基板）に接続される接地部材により接地して除去することができる。
【００４２】
さらに、請求項７の発明によれば、前記導通部材は配線部材を介して前記遊技盤固定枠の裏面側で接続部材に接続されており、該導通部材を介して除去する遊技球の帯電電荷を遊技盤固定枠裏面側の接地部材により接地して除去することができる。そこで、前記遊技球の帯電電荷を直接接地して除去するための接地線を単独で配線する必要がなく、該帯電電荷を除去するための配線設計を簡素化することができる。
【００４３】
加えて、請求項８の発明によれば、前記配線部材は前記遊技盤固定枠に貫設された配線通過部から前記遊技盤固定枠の裏面側に配設されており、該配線通過部により配線部材の配線スペースを確保して該配線部材の遊技盤固定枠裏面側への配線を容易に行うことができる。
【００４４】
さらに加えて、請求項９の発明によれば、前記遊技球誘導レールを遊技盤に固定する誘導レール固定部材を備え、前記導通部材と前記遊技球誘導レールの当接箇所が前記誘導レール固定部材の近傍となっており、該遊技球誘導レールを遊技盤に強固に固定する誘導レール固定部材が導通部材が備える弾性部の付勢力を受け止めて該付勢力による遊技球誘導レールの変形を防止することができる。
【図面の簡単な説明】
【図１】この発明の一実施例に係る弾球遊技機全体の正面図である。
【図２】ガラス枠部材を開放した状態における弾球遊技機全体の斜視図である。
【図３】同遊技機の遊技盤の正面図である。
【図４】同遊技機の裏面側における遊技盤及び機構盤の取り付け状態を示す分解斜視図である。
【図５】同遊技機全体の裏面図である。
【図６】導通部材と外側ガイドレールとが当接した状態を示す図２の符号Ａの部分拡大図である。
【図７】図２の符号ＡのＢ−Ｂ部分断面図である。
【図８】同遊技機における中継基板と弾球遊技機関連部品との配線状態の要部を示す拡大図である。
【図９】同遊技機の帯電防止機構を示す概略図である。
【符号の説明】
１　弾球遊技機
４　外側ガイドレール
５　内側ガイドレール
１２Ａ　鍵部の枠部分
２０　遊技盤固定枠（前枠）
６０　誘導部材
６１　誘導部材の弾性部
６２　誘導レール固定部材
６５　中継基板
７０　配線通過部
１０６　受電基板
１１４Ａ　電源基板のシールド板
２００　弾球遊技機の帯電防止機構
Ｅ　発射装置
Ｇ　接地線（接地部材）
Ｇ３　接地線（配線部材）
Ｍ　遊技盤
【図１】
2004000309.tif 000003
【図２】
2004000309.tif 000004
【図３】
2004000309.tif 000005
【図４】
2004000309.tif 000006
【図５】
2004000309.tif 000007
【図６】
2004000309.tif 000008
【図７】
2004000309.tif 000009
【図８】
2004000309.tif 000010
【図９】
2004000309.tif 000011
【手続補正書】
【提出日】平成15年7月11日(2003.7.11)
【手続補正１】
【補正対象書類名】明細書
【補正対象項目名】全文
【補正方法】変更
【補正の内容】
【発明の詳細な説明】
【特許請求の範囲】
【請求項１】遊技球の入球可能な複数の入賞口を有する遊技領域が形成された遊技盤と、遊技球を前記遊技領域に発射する発射手段と、遊技盤に取り付けられて前記発射手段により発射された遊技球を前記遊技領域に誘導する遊技球誘導レールと、前記遊技盤が固定される遊技盤固定枠とを備えた弾球遊技機において、
前記遊技盤固定枠に、前記遊技球誘導レールと通電可能な導通部材が設けられているとともに、前記導通部材は前記遊技盤固定枠に貫設された配線通過部から前記遊技盤固定枠の裏面側に配設されている配線部材を介して前記遊技盤固定枠の裏面側で接地部材に接続されていることを特徴とする弾球遊技機の帯電防止機構。
【請求項２】前記導通部材の少なくとも一部に弾性部を備え、前記弾性部の付勢力により前記導通部材が前記遊技球誘導レールと当接している請求項１に記載の弾球遊技機の帯電防止機構。
【請求項３】前記導通部材が弾球遊技機に配置された中継基板を介して接地可能に構成されている請求項１又は２に記載の弾球遊技機の帯電防止機構。
【請求項４】前記導通部材が前記中継基板に一体に形成されている請求項３に記載の弾球遊技機の帯電防止機構。
【請求項５】前記中継基板に前記導通部材とは異なる導電性弾球遊技機部品が通電
可能に接続されている請求項３又は４に記載の弾球遊技機の帯電防止機構。
【請求項６】
前記中継基板に前記導通部材と別に前記導電性弾球遊技機部品を接地線により接続可能とする複数の接続部であるコネクタが形成されている請求項５に記載の弾球遊技機の帯電防止機構。
【請求項７】
前記導通部材とは異なる導電性弾球遊技機部品が前記中継基板を介して制御手段に通電可能に接続されている請求項５又は６に記載の弾球遊技機の帯電防止機構。
【請求項８】
前記遊技球誘導レールを遊技盤に固定する誘導レール固定部材を備え、前記導通部材と前記遊技球誘導レールの当接箇所が前記誘導レール固定部材の設けられている部分である請求項１ないし７のいずれか１項に記載の弾球遊技機の帯電防止機構。
【発明の詳細な説明】
【０００１】
【発明の属する技術分野】
この発明は、パチンコ遊技機等の弾球遊技機に関し、特には遊技球の帯電電荷を除去する弾球遊技機の帯電防止機構に関する。
【０００２】
【従来の技術】
従来の弾球遊技機、例えばパチンコ遊技機にはその前面側に遊技領域が形成された遊技盤が設けられており、遊技者の発射操作に応じて発射装置より発射された遊技球は該発射装置から略円形に立設された外側ガイドレールと内側ガイドレールに誘導されて前記遊技領域に打ち出される。しかるに、この種遊技球にあっては、パチンコ遊技機の機構盤内の多くの誘導樋や集合板を頻繁に通過し、これらとの接触摩擦により帯電していることが多い。
【０００３】
この帯電した遊技球は前記遊技領域に設けられた釘等の遊技球誘導部材と接触して放電現象により静電誘導ノイズを発生するのでこれを防止する必要がある。従来では、前記外側ガイドレールと内側ガイドレール間で構成される発射球誘導路内であって内側ガイドレールに設けられた弾性を有する薄板状金属部材からなる発射球逆流防止片（例えば後述の図３の符号８７参照）と遊技球とを接触させ、さらにパチンコ遊技機の前面側に開閉可能に取り付けられてガラス等を固定するガラス枠部材等の枠板部に設けられた凸状の金属片を前記内側ガイドレールに当接させて、このガラス枠部材の金属片を介して、あらかじめ遊技施設に設けられた接地線等の接地部材を介して接地（アース）させている。
【０００４】
しかしながら、上記のように開閉自在なガラス枠部材等の枠板部に金属片を設けて、これと内側ガイドレールとを当接させて接地させる場合にあっては、ガラス枠部材等の金属片と内側ガイドレールとの確実な接触という要請からその取付を多少きつめに行う必要があり、そのためにガラス枠部材の開閉の際の大きな抵抗となり、開閉がしづらいという問題があった。また、この種遊技機の前面側のガラス枠部材等は遊技盤の修理や保守点検等のために頻繁に開閉されるものであるので、これに取り付けられた金属片に金属疲労、摩耗、変形等や取付上の不具合が発生することがあり、このような場合には該金属片と内側ガイドレールとの接触が不完全又は不能となり、遊技球の帯電除去を効果的に行うことができなくなるという問題があった。
【０００５】
【発明が解決しようとする課題】
この発明はこのような状況に鑑み提案されたものであり、ガラス枠部材の開閉に影響されず、かつ遊技球の帯電電荷をより効果的に除去する弾球遊技機の帯電防止機構を提案するものであり、これによって帯電した遊技球の放電現象により生じる静電誘導ノイズを抑制することを目的とする。
【０００６】
【課題を解決するための手段】
すなわち、請求項１の発明は、遊技球の入球可能な複数の入賞口を有する遊技領域が形成された遊技盤と、遊技球を前記遊技領域に発射する発射手段と、遊技盤に取り付けられて前記発射手段により発射された遊技球を前記遊技領域に誘導する遊技球誘導レールと、前記遊技盤が固定される遊技盤固定枠とを備えた弾球遊技機において、前記遊技盤固定枠に、前記遊技球誘導レールと通電可能な導通部材が設けられているとともに、前記導通部材は前記遊技盤固定枠に貫設された配線通過部から前記遊技盤固定枠の裏面側に配設されている配線部材を介して前記遊技盤固定枠の裏面側で接地部材に接続されていることを特徴とする弾球遊技機の帯電防止機構に係る。
【０００７】
また、請求項２の発明は、請求項１において、前記導通部材の少なくとも一部に弾性部を備え、前記弾性部の付勢力により前記導通部材が前記遊技球誘導レールと当接している弾球遊技機の帯電防止機構に係る。
【０００８】
請求項３の発明は、請求項１又は２において、前記導通部材が弾球遊技機に配置された中継基板を介して接地可能に構成されている弾球遊技機の帯電防止機構に係る。
【０００９】
請求項４の発明は、請求項３において、前記導通部材が前記中継基板に一体に形成されている弾球遊技機の帯電防止機構に係る。
【００１０】
請求項５の発明は、請求項３又は４において、前記中継基板に前記導通部材とは異なる導電性弾球遊技機部品が通電可能に接続されている弾球遊技機の帯電防止機構に係る。
【００１１】
請求項６の発明は、請求項５において、前記中継基板に前記導通部材と別に前記導電性弾球遊技機部品を接地線により接続可能とする複数の接続部であるコネクタが形成されている弾球遊技機の帯電防止機構に係る。
【００１２】
請求項７の発明は、請求項５又は６において、前記導通部材とは異なる導電性弾球遊技機部品が前記中継基板を介して制御手段に通電可能に接続されている弾球遊技機の帯電防止機構に係る。
【００１３】
請求項８の発明は、請求項１ないし７のいずれか１項において、前記遊技球誘導レールを遊技盤に固定する誘導レール固定部材を備え、前記導通部材と前記遊技球誘導レールの当接箇所が前記誘導レール固定部材の設けられている部分である弾球遊技機の帯電防止機構に係る。
【００１４】
【発明の実施の形態】
以下添付の図面に基づきこの発明の好適な実施形態を説明する。
図１はこの発明の一実施例に係る弾球遊技機全体の正面図、図２はガラス枠部材を開放した状態における弾球遊技機全体の斜視図、図３は同遊技機の遊技盤の正面図、図４は同遊技機の裏面側における遊技盤及び機構盤の取り付け状態を示す分解斜視図、図５は同遊技機全体の裏面図、図６は導通部材と外側ガイドレールとが当接した状態を示す図２の符号Ａの部分拡大図、図７は図２の符号ＡのＢ−Ｂ部分断面図、図８は同遊技機における中継基板と弾球遊技機関連部品との配線状態の要部を示す拡大図、図９は同遊技機の帯電防止機構を示す概略図である。
【００１５】
図１ないし図５に示す弾球遊技機（図ではパチンコ遊技機）１は、額縁形状からなる機枠１１と、機枠１１に取り付けられた遊技盤固定枠２０（以下前枠と称する。）と、前枠２０に開閉可能に設けられたガラス枠部材３０を備えている。この前枠２０の裏面側には遊技盤Ｍが着脱可能に収容されている。
【００１６】
前記遊技盤Ｍの縁には、その遊技領域６に発射装置Ｅ（この発明の発射手段に相当する。）により発射された遊技球を誘導する外側ガイドレール４及び内側ガイドレール５（いずれもこの発明の遊技球誘導レールに相当する。）が略円形に立設されており、該内側ガイドレール５によって囲まれた遊技領域６には以下に記述するような遊技球の入賞可能な複数の入賞口が設けられている。なお、前記外側ガイドレール４及び内側ガイドレール５は金属製の板状部材を湾曲させ、該ガイドレール４，５を咬止するように遊技盤Ｍに打ち込まれたピンからなる誘導レール固定部材により該遊技盤Ｍに固定されている。
【００１７】
図３に示すように、この実施例の遊技盤Ｍの遊技領域６には、その中心線上に上部から下部に向かって順に液晶表示器（ＴＦＴ−ＬＣＤモジュール）等からなる画像表示部５０を有する表示装置９、上側第１種始動入賞口１０及び普通電動役物である下側第１種始動入賞口１１、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技盤Ｍの遊技領域６には該遊技領域６を転動しつつ下方へ落下する遊技球を誘導する遊技釘７が適宜設けられている。なお、図中の符号８５は発射球誘導路、８７は発射球逆流防止片である。
【００１８】
さらに、前記弾球遊技機１の前面側には払い出された遊技球を受けるための上側球受け皿３２、該上側球受け皿３２の飽和時に遊技球を受け止めるための下側球受け皿３４、前記遊技盤Ｍに設けた左サイドランプ３５Ｌ，右サイドランプ３５Ｒと共に遊技状態を報知する枠飾りランプ３５、遊技者が貸球の払出操作を行う球貸し操作部５５、前記上側球受け皿３２に内蔵されて音声や効果音を発して遊技状態を遊技者に報知するスピーカＳ、遊技者の発射操作に応じて遊技球を遊技盤Ｍに向けて発射するための発射装置Ｅ、該発射装置Ｅの操作レバーＥ１がそれぞれ組み付けられている。
【００１９】
前記発射装置Ｅはその操作レバーＥ１と、該操作レバーＥ１の操作により駆動する発射モータと、該発射モータの駆動により間欠的に揺動して遊技球を弾発発射する打球槌とを有している。この発射装置Ｅにより発射された遊技球は、前記遊技盤Ｍに立設された外側ガイドレール４と内側ガイドレール５間で構成される発射球誘導路８５を介して遊技領域６に誘導されるようになっている。前記発射球誘導路８５により遊技領域６に誘導された遊技球は転動しつつ下方へ落下し、前記遊技領域６に設けられた入賞口に入賞するか、あるいは何れにも入賞しなければ前記アウト口１７から遊技盤Ｍの裏側へ排出される。
【００２０】
図４に示すように、弾球遊技機１が備える前枠２０の裏面側に固定される遊技盤Ｍには、該遊技盤Ｍの前面側に配設された前記表示装置９の画像表示部５０への図柄等の表示制御を行う図柄制御基板（図示せず）、同じく遊技盤Ｍの前面側である遊技領域６に配設された入賞口に入球した遊技球を集合させる集合路を有する集合板（図示せず）が設けられている。なお、前記前枠２０には、後述する該前枠２０の前面側に設けた中継基板６５と前枠２０の裏面側に設けた後述する機構盤３に配設される受電基板１０６とを接続する接地線Ｇ３（この発明の配線部材に相当する。）が配線可能な配線通過部７０が貫設されている。
【００２１】
前記集合板には前記画像表示部５０における変動及び停止表示する図柄等に対応して発生させる演出音等を制御する音声制御基板、遊技者の遊技状態を報知する枠飾りランプ３５等の表示制御を行うランプ制御基板等が配置されている。
【００２２】
また、前記弾球遊技機１が備える前枠２０の裏面側における遊技盤Ｍや図示しない集合板以外の部分には、遊技施設の弾球遊技機設置島から投入される払出用の遊技球を貯留する貯留タンク、貯留タンクから遊技球を払出装置へ流下させる複数の誘導樋が形成された機構盤３が設けられている。さらに、前記機構盤３には遊技球の払出条件成立時の遊技球の払い出しを制御する払出制御基板、遊技施設に設けられた外部電源から供給される交流電力を受電する受電基板１０６、受電基板１０６から供給された交流電力を受電しこれを所定の電圧である直流電力に変換する電源基板、前記各種の制御基板を制御する主制御基板等が配設されている。
【００２３】
図５中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３は電源プラグ、１６１は図柄制御基板、Ｇ７は接地線である。
【００２４】
前述したように、弾球遊技機１が備える発射レールの発射位置に供給される遊技球は、これと前記機構盤３に形成された複数の誘導樋等の壁面との摩擦により帯電しており、この帯電した遊技球が前記発射装置Ｅにより外側ガイドレール４に沿って遊技領域６に打ち込まれ該遊技領域６に設けられた遊技釘７等に遊技球が接触すると、帯電した遊技球と遊技釘７等との間で放電が起こり、これに起因して静電誘導ノイズが発生する。そこで、この弾球遊技機１においては、前記外側ガイドレール４に沿って遊技領域６に打ち込まれる遊技球の帯電電荷を接地して除去するため、請求項１の発明として規定するように、前記弾球遊技機１の前枠２０に外側ガイドレール４と通電可能な導通部材６０を設けているとともに、該導通部材６０は後述する接地部材である接地線Ｇを介して接地可能に構成されている。以下に、外側ガイドレール４と導通部材６０の配置について図６及び図７を用いて説明する。
【００２５】
図６に示すように、前記導通部材６０は弾球遊技機１の前面側であってその前枠２０の左上方で外側ガイドレール４に当接するように設けられている。この導通部材６０は鉄等の金属製部材を焼なまし処理して該金属製部材の硬さを低下させたものからなり、請求項２の発明として規定するように、該金属製部材からなる導通部材６０は少なくとも一部に弾性部６１を備えている。そして、図７に示すように、前記導通部材６０を略コの字形状に折り曲げてその弾性部６１を前枠２０と外側ガイドレール４の間に挿入するように設けている。このように配置された導通部材６０はその弾性部６１により外側ガイドレール４を常時Ｘ方向へ付勢する力によって該導通部材６０が外側ガイドレール４に当接する。この導通部材６０が外側ガイドレール４と当接する箇所については、該導通部材６０が備える弾性部６１の付勢力により外側ガイドレール４が変形することを防止する箇所であることが必要がある。そこで、前記導通部材６０と外側ガイドレール４の当接箇所を該ガイドレール４を咬止するように遊技盤Ｍに固定するように打ち込まれて前記ガイドレール４を遊技盤Ｍに強固に固定するピン６２（この発明の誘導レール固定部材に相当する。）の近傍としている。
【００２６】
また、導通部材６０の一端は該導通部材６０と同様に前記前枠２０の左上方にねじ等で固定して該前枠２０に配置された金属板からなる中継基板６５に接続されている。さらに、前記中継基板６５は、後述するように、受電基板１０６に接地線Ｇ３により接続されており、該受電基板１０６はこれに接続される接地線Ｇにより接地されている。そこで、請求項３の発明として規定するように、前記導通部材６０が中継基板６５を介して前記受電基板１０６に接続される接地線Ｇにより接地可能に構成されている。そして、この導通部材６０の一端と中継基板６５の接続は溶接等をすることにより、請求項４の発明として規定するように、該導通部材６０が中継基板６５に一体に形成されている。
【００２７】
前記中継基板６５には、図８に示すように、該中継基板６５に一体に形成された導通部材６０とは別に前記中継基板６５とこの弾球遊技機１の弾球遊技機関連部品とを接地線Ｇ１，Ｇ２により接続可能とする複数の接続部であるコネクタ（この実施例では２つのコネクタＣ１，Ｃ２）が形成されている。このため、前記接地線Ｇ１，Ｇ２により、中継基板６５に前記導通部材６０とは異なる弾球遊技機関連部品が通電可能に接続されている。なお、この実施例における前記中継基板６５に通電可能に接続される弾球遊技機関連部品は、図９に示すように、前記機枠１１及び前枠２０ならびにガラス枠部材３０の閉状態を解除操作する鍵部の枠部分１２Ａ、電源基板のシールド板１１４Ａとしている。ただし、中継基板６５に接続される弾球遊技機関連部品は前記鍵部の枠部分１２Ａ等に限定されず、これら以外の適宜の弾球遊技機関連部品を前記中継基板６５に接続するようにしてもよい。
【００２８】
さらに、図８及び図９に示すように、前記外側ガイドレール４，鍵部の枠部分１２Ａ及び電源基板のシールド板１１４Ａがそれぞれ導通部材６０，接地線Ｇ１及びＧ２により接続された中継基板６５は、該中継基板６５に形成されたコネクタＣ３と受電基板１０６（この発明の制御手段に相当する。）に形成されたコネクタ（図示せず）とを接続する接地線Ｇ３により前記受電基板１０６と接続されている。なお、前記中継基板６５に接続された接地線Ｇ３は、請求項１の発明として規定するように、この弾球遊技機１の前枠２０に貫設された配線通過部７０を通して該前枠２０の裏面側に設けた機構盤３に固定される受電基板１０６に向けて配設されている。このような構成により、前記導通部材６０とは異なる前記枠部分１２Ａ，電源基板のシールド板１１４Ａ（いずれも弾球遊技機関連部品）が前記中継基板６５を介して受電基板１０６（制御手段）に通電可能に接続されている。なお、図中の符号Ｈは前記枠飾りランプ３５とランプ制御基板とを接続するハーネスである。
【００２９】
図９に示すこの弾球遊技機１の帯電防止機構２００により、前記外側ガイドレール４に沿って遊技領域６に打ち込まれる遊技球の帯電電荷、鍵部の枠部分１２Ａから侵入する人為的なノイズ、前記機構盤３に形成された複数の誘導樋等を通過する帯電した遊技球の放電現象により発生する静電誘導ノイズに起因して電源基板のシールド板１１４Ａに発生した電荷が、前記外側ガイドレール４等と中継基板６５とをそれぞれ接続する導通部材６０，接地線Ｇ１，Ｇ２により該中継基板６５に集約される。さらに、この中継基板６５に集約された電荷は該中継基板６５と受電基板１０６とを前記接地線Ｇ１，Ｇ２と同様な方法で接続する接地線Ｇ３により該受電基板１０６に集約される。
【００３０】
この受電基板１０６は弾球遊技機１の前枠２０の裏面側に設けた機構盤３に配設されており、該受電基板１０６を前記弾球遊技機１が設置される遊技施設の弾球遊技機設置島にあらかじめ設けた接地線接続箇所とつながる接地線Ｇ（この発明の接地部材に相当する。）と接続することにより受電基板１０６を前記前枠２０の裏面側で接地している。そこで、図示した前記帯電防止機構２００から理解できるように、前記導通部材６０は、請求項１の発明として規定するように、該導通部材６０が接続された中継基板６５と受電基板１０６とを接続する接地線Ｇ３（配線部材）を介して前記前枠２０の裏面側で接地線Ｇに接続されて接地している。このように構成した帯電防止機構２００により、前記受電基板１０６に集約された電荷を接地線Ｇによって接地して除去することができる。
【００３１】
この帯電防止機構２００を構成する受電基板１０６には、前記接地線Ｇ３と同様な方法で接続される接地線Ｇ４により前記ＦＧ中継基板１１３が接続されている。さらに、このＦＧ中継基板１１３には前記タンクレール１０２の板金１０２Ａ，払出制御基板１１８がそれぞれ前記接地線Ｇ４と同様な接続方法による接地線Ｇ５，Ｇ６により接続されており、加えて該ＦＧ中継基板１１３には前記払出制御基板１１８のシールド板その他の弾球遊技機関連部品が接地線によりそれぞれ接続される。このように構成した前記帯電防止機構２００により、前記弾球遊技機設置島からタンクレール１０２に投入される払出用の遊技球同士の摩擦により発生する遊技球の帯電電荷、払出制御基板１１８に接続されたプリペードカードユニットから侵入する人為的なノイズ等による電荷、前記複数の誘導樋等を通過する帯電した遊技球の放電現象により発生する静電誘導ノイズに起因して払出制御基板１１８のシールド板に発生した電荷その他の電荷等が、前記タンクレール１０２の板金１０２Ａ等と前記ＦＧ中継記基板１１３とをそれぞれ接続する接地線Ｇ５等により該ＦＧ中継基板１１３に集約される。
【００３２】
さらに、前記ＦＧ中継基板１１３に集約された電荷は該ＦＧ中継基板１１３と前記受電基板１０６とを接続する接地線Ｇ４により該受電基板１０６に集約され、この受電基板１０６に接続された前記接地線Ｇにより受電基板１０６に集約された電荷を接地して除去することができる。
【００３３】
本発明は上述した実施例に限定されるものではなく、発明の趣旨を逸脱しない範囲内において構成の一部を適宜に変更して実施することができる。上記実施例では、略コの字形状に折り曲げた導通部材６０の弾性部６１が外側ガイドレール４を付勢する力により該導通部材６０が外側ガイドレール４に当接するようにしているが、これに限定されず、例えば外側ガイドレール４に沿って遊技領域６に打ち込まれる遊技球の帯電電荷による電流が通電可能なばね部材を用いることにより、該ばね部材の付勢力によって外側ガイドレール４にばね部材が当接するような構成等としてもよい。
【００３４】
また、上記実施例では、前記導通部材６０が接続された中継基板６５が単独の金属板により構成されているが、これに限定されず、例えば前記前枠２０の前面側に枠飾りランプ３５その他の弾球遊技機関連部品の制御を行う制御基板を設けた場合には、該制御基板に前記中継基板の機能を有する部分を一体に設けるような構成等とし、この制御基板を介して導通部材６０が遊技施設に設けた接地線Ｇに接続されるようにしてもよい。
【００３５】
【発明の効果】
以上図示し説明したように、請求項１の発明に係る弾球遊技機の帯電防止機構によれば、遊技盤が固定される遊技盤固定枠に該遊技盤に取り付けられた遊技球誘導レールと通電可能な導通部材が設けられているとともに、前記導通部材は前記遊技盤固定枠に貫設された配線通過部から前記遊技盤固定枠の裏面側に配設されている配線部材を介して前記遊技盤固定枠の裏面側で接地部材に接続されている。したがって、ガラス枠部材等の開閉に影響されず、かつ前記遊技球誘導レールと通電可能に設けた導通部材により遊技球の帯電電荷をより効果的に除去することができる。これにより、前記帯電した遊技球の放電現象により生じる静電誘導ノイズを抑制することができる。また、前記導通部材は配線部材を介して前記遊技盤固定枠の裏面側で接続部材に接続されており、該導通部材を介して除去する遊技球の帯電電荷を遊技盤固定枠裏面側の接地部材により接地して除去することができる。そこで、前記遊技球の帯電電荷を直接接地して除去するための接地線を単独で配線する必要がなく、該帯電電荷を除去するための配線設計を簡素化することができる。さらに、前記配線部材は前記遊技盤固定枠に貫設された配線通過部から前記遊技盤固定枠の裏面側に配設されており、該配線通過部により配線部材の配線スペースを確保して該配線部材の遊技盤固定枠裏面側への配線を容易に行うことができる。
【００３６】
また、請求項２の発明によれば、前記導通部材の少なくとも一部に弾性部を備え、前記弾性部の付勢力により前記導通部材が前記遊技球誘導レールと当接しており、該導通部材が備える弾性部の付勢力によって導通部材と遊技球誘導レールの接触を良好にすることができる。
【００３７】
さらに、請求項３の発明によれば、前記導通部材が弾球遊技機に配置された中継基板を介して接地可能に構成されており、該導通部材の一端を前記中継基板に接続すれば、導通部材の他端を遊技球誘導レールと当接するように設ける導通部材の取り付け作業を容易にして該導通部材を接地可能なものとすることができる。
【００３８】
加えて、請求項４の発明によれば、前記導通部材が前記中継基板に一体に形成されており、導通部材と中継基板をそれぞれ単独で設ける場合に比べて該導通部材と中継基板を所定の位置に取り付ける作業が容易となる。
【００３９】
さらに加えて、請求項５及び６の発明によれば、前記中継基板に前記導通部材とは異なる導電性弾球遊技機部品が通電可能に接続され、前記中継基板に前記導通部材と別に前記導電性弾球遊技機部品を接地線により接続可能とする複数の接続部であるコネクタが形成されており、特に該導通部材とは異なるものであって弾球遊技機の前面側に設けた導電性弾球遊技機部品を接地するための接地線を該遊技機前面側に設けた中継基板に容易に接続することができる。
【００４０】
また、請求項７の発明によれば、前記導通部材とは異なる導電性弾球遊技機部品が前記中継基板を介して制御手段に通電可能に接続されており、導電性弾球遊技機部品に帯電した電荷等についても、該導電性弾球遊技機部品が中継基板を介して接続された制御手段（受電基板）に接続される接地部材により接地して除去することができる。
【００４１】
さらに加えて、請求項８の発明によれば、前記遊技球誘導レールを遊技盤に固定する誘導レール固定部材を備え、前記導通部材と前記遊技球誘導レールの当接箇所が前記誘導レール固定部材の設けられている部分となっており、該遊技球誘導レールを遊技盤に強固に固定する誘導レール固定部材が導通部材が備える弾性部の付勢力を受け止めて該付勢力による遊技球誘導レールの変形を防止することができる。
【図面の簡単な説明】
【図１】この発明の一実施例に係る弾球遊技機全体の正面図である。
【図２】ガラス枠部材を開放した状態における弾球遊技機全体の斜視図である。
【図３】同遊技機の遊技盤の正面図である。
【図４】同遊技機の裏面側における遊技盤及び機構盤の取り付け状態を示す分解斜視図である。
【図５】同遊技機全体の裏面図である。
【図６】導通部材と外側ガイドレールとが当接した状態を示す図２の符号Ａの部分拡大図である。
【図７】図２の符号ＡのＢ−Ｂ部分断面図である。
【図８】同遊技機における中継基板と弾球遊技機関連部品との配線状態の要部を示す拡大図である。
【図９】同遊技機の帯電防止機構を示す概略図である。
【符号の説明】
１　弾球遊技機
４　外側ガイドレール
５　内側ガイドレール
１２Ａ　鍵部の枠部分
２０　遊技盤固定枠（前枠）
６０　導通部材
６１　導通部材の弾性部
６２　誘導レール固定部材
６５　中継基板
７０　配線通過部
１０６　受電基板
１１４Ａ　電源基板のシールド板
２００　弾球遊技機の帯電防止機構
Ｅ　発射装置
Ｇ　接地線（接地部材）
Ｇ３　接地線（配線部材）
Ｍ　遊技盤